(57)【特許請求の範囲】
【請求項１】
本体ケースと、
前記本体ケース内に設けられて前面が開口した陳列室と、
前記陳列室の背面側に設けられた背面ダクトと、
前記陳列室の上方側の天井内に設けられて前記背面ダクトに接続された天井ダクトと、
前記陳列室の下方側のデックパン内部に設けられて前記背面ダクトに接続された下部ダクトと、
前記背面ダクト内に配置された熱交換器と、
前記熱交換器にて熱交換された冷気を送風し、前記下部ダクト、前記背面ダクト、前記天井ダクトを経由して前記陳列室の前面開口から冷気エアーカーテンを形成して前記下部ダクトに戻る冷気通路に循環させるファンを備えたファンユニットと、を有し、
前記ファンユニットは、前記背面ダクト内において前記熱交換器の上面に取付けられたことを特徴とするショーケース。
【請求項２】
前記ファンは、軸流ファンであることを特徴とする請求項１に記載のショーケース。
【請求項３】
前記ファンユニットは、前記ファンを複数備えて構成され、複数の前記ファンは、横一列に配置されたことを特徴とする請求項１または２に記載のショーケース。
【請求項４】
複数の前記ファンは、隣り合う他のファンとの間隔を均等にして配置されたことを特徴とする請求項３に記載のショーケース。
【請求項５】
前記ファンユニットは、前記熱交換器の上面を覆うことを特徴とする請求項１ないし４に記載のショーケース。
【請求項６】
前記熱交換器の上面と対向する前記ファンユニットの面は、前記熱交換器側から流れる冷気を遮蔽する遮蔽部と、前記ファンが取り付けられる取り付け部とからなることを特徴とする請求項５に記載のショーケース。
【請求項７】
複数の前記ファンは、各々の出力が０．５〜２Ｗの範囲内であることを特徴とする請求項３ないし６のいずれか１つに記載のショーケース。
【請求項８】
前記ファンユニットは、前記熱交換器よりも、前記冷気通路を循環する冷気の下流側に配置されたことを特徴とする請求項１ないし７のいずれか１つに記載のショーケース。
【発明の詳細な説明】
【技術分野】
【０００１】
本発明は、冷気ダクト内にファンを設けるショーケースに関する。
【背景技術】
【０００２】
従来、例えばコンビニエンスストアやスーパーマーケット等に設置されるショーケースでは、陳列室の下方側のデックパン内部に下部ダクトが設けられ、陳列室の背面側には、下部ダクトと接続される背面ダクトが設けられ、陳列室の上方側には、背面ダクトに接続される天井ダクトが設けられている。
この種のショーケースでは、下部ダクトの内部にファンが設けられている。このファンは、熱交換器の熱交換による冷気を、下部ダクト、背面ダクト、天井ダクトを経由して陳列室の前面開口から冷気エアーカーテンを形成して下部ダクトに戻る冷気通路に循環案内している（例えば、特許文献１参照）。
【先行技術文献】
【特許文献】
【０００３】
【特許文献１】特開２００７−１０７７３２号公報
【発明の概要】
【発明が解決しようとする課題】
【０００４】
しかしながら、ファンを下部ダクトの内部に設ける場合、ファンの容積分だけ下部ダクトを大きく設けることが必要となる。この場合、下部ダクトを大きく設ける分だけ陳列室が小さくなるという問題があった。
本発明は、上述した事情に鑑みてなされたものであり、陳列室の大きいショーケースを提供することを目的とする。
【課題を解決するための手段】
【０００５】
上記目的を達成するために、本発明は、本体ケースと、前記本体ケース内に設けられて前面が開口した陳列室と、前記陳列室の背面側に設けられた背面ダクトと、前記陳列室の上方側の天井内に設けられて前記背面ダクトに接続された天井ダクトと、前記陳列室の下方側のデックパン内部に設けられて前記背面ダクトに接続された下部ダクトと、前記背面ダクト内に配置された熱交換器と、前記熱交換器にて熱交換された冷気を送風し、前記下部ダクト、前記背面ダクト、前記天井ダクトを経由して前記陳列室の前面開口から冷気エアーカーテンを形成して前記下部ダクトに戻る冷気通路に循環させるファンを備えたファンユニットと、を有し、前記ファンユニットは、前記背面ダクト内において前記熱交換器の上面に取付けられたことを特徴とする。
【０００６】
また、本発明は、前記ファンは、軸流ファンであることを特徴とする。
【０００７】
また、本発明は、前記ファンユニットは、前記ファンを複数備えて構成され、複数の前記ファンは、横一列に配置されたことを特徴とする。
【０００８】
また、本発明は、前記ファンは、隣り合う他のファンとの間隔を均等にして配置されたことを特徴とする。
【００１０】
また、本発明は、前記ファンユニットは、前記熱交換器の上面を覆うことを特徴とする。
【００１１】
また、本発明は、前記熱交換器の上面と対向する前記ファンユニットの面は、前記熱交換器側から流れる冷気を遮蔽する遮蔽部と、前記ファンが取り付けられる取り付け部とからなることを特徴とする。
【００１２】
また、本発明は、複数の前記ファンは、各々の出力が０．５〜２Ｗの範囲内であることを特徴とする。
【００１３】
また、本発明は、前記ファンユニットは、前記熱交換器よりも、前記冷気通路を循環する冷気の下流側に配置されたことを特徴とする。
【発明の効果】
【００１４】
本発明によれば、ファンを背面ダクトに設けられる熱交換器の上方に設けるため、下部ダクト内にファンを設ける必要がない。下部ダクトを小さく構成できるため、陳列室の大きいショーケースを提供できる。
【図面の簡単な説明】
【００１５】
【図１】本発明の実施形態に係るショーケースの縦断側面図である。
【図２】ショーケース下方を拡大した縦断側面図である。
【図３】棚と背板を外した状態におけるショーケースの斜視図である。
【図４】棚と背板を外した状態におけるショーケースの正面図である。
【図５】ファンユニットの斜視図である。
【図６】ファンユニットの平面図である。
【図７】ファンユニットのユニット本体の斜視図である。
【図８】ファンユニットのユニット本体の平面図である。
【発明を実施するための形態】
【００１６】
以下、図面を参照して本発明の実施形態について説明する。
図１は、本発明の実施形態に係る棚２６を外した状態のショーケース１の縦断側面図である。図２は、ショーケース１の下方を拡大した縦断側面図である。図３は、棚２６と背板１１を外した状態におけるショーケース１の斜視図である。図４は、棚２６と背板１１を外した状態におけるショーケース１の正面図である。
なお、以下では、ショーケース１を正面から見た場合を基準として、上下前後左右としている。
【００１７】
ショーケース１は、本体ケース３を備えている。本体ケース３の下方には、機械室６０が設けられている。
本体ケース３は、前面が開口する断面略コ字状の断熱壁２を備えている。この断熱壁２の側面には、側板５が取付けられている。断熱壁２の内側には、断熱壁２と所定の間隔を存して天井板１０、背板１１、底板１２、が取り付けられている。天井板１０と断熱壁２との間隔には、天井ダクト２０が形成されている。背板１１と断熱壁２との間隔には、背面ダクト２１が形成されている。底板１２と断熱壁２との間隔には、下部ダクト２２が形成されている。この下部ダクト２２は、背面ダクト２１の下部に接続されている。背面ダクト２１の上部は、天井ダクト２０に接続されている。
【００１８】
側板５、天井板１０、背板１１、および底板１２の内側には、陳列室８が設けられている。この陳列室８の前面には、開口部９が設けられている。
陳列室８には、背部の支柱に着脱自在に取り付けられる一対のブラケット２５及びこれらに保持された棚２６が複数段、本実施の形態では５段架設されている。底板１２上にはデックパン２７が取り付けられている。これらの棚２６及びデックパン２７上に商品が陳列される。
棚２６は、着脱自在に架設されており、棚を架設する高さ位置を変えることができる。また、棚２６及びデックパン２７は前方に引き出し自在とされている。棚２６やデックパン２７上に商品を補充する際には、開口部９より前方に引き出して作業を行うことができるように構成されている。
【００１９】
開口部９の上縁には、冷気吐出口２８が形成されている。この冷気吐出口２８は、天井ダクト２０に連通している。開口部９の下縁には、冷気吸込口２９が形成されている。この冷気吸込口２９は、下部ダクト２２に連通している。
【００２０】
背面ダクト２１は、下部に設けられる背面下部ダクト１７と、上部に設けられる背面上部ダクト１８と、を備えている。
背面下部ダクト１７の内部には、冷却装置の冷凍サイクルを構成する熱交換器３０が設けられている。この熱交換器３０は、背面ダクト２１の左右方向に長く形成されており、正面視で略矩形に形成されている。
熱交換器３０に発生する結露水は、図１および図２に示すように、背面ダクト２１から下部ダクト２２へ流れ、下部ダクト２２から機械室６０に流れ落ちるようにされている。
【００２１】
背面下部ダクト１７と背面上部ダクト１８とは、熱交換器を囲う仕切カバー１９で仕切られている。この仕切カバー１９は、熱交換器３０の陳列室８側の側方に設けられる側方カバー１９Ｂと、熱交換器３０のすぐ上方に設けられる上方カバー１９Ａとで構成されている。上方カバー１９Ａには、上面視で略矩形の通気孔（不図示）が備えられている。上方カバー１９Ａの上部には、この通気孔を塞ぐようにしてファンユニット４０が取付けられている。
【００２２】
図５は、ファンユニット４０の斜視図である。図６は、ファンユニット４０の平面図である。図７は、ファンユニット４０のユニット本体４１の斜視図である。図８は、ユニット本体４１の平面図である。
ファンユニット４０は、上方カバー１９Ａに取付けられるユニット本体４１と、ユニット本体４１に着脱自在に取付けられるファン４３と、を備えている。
ファンユニット４０は、上面視で熱交換器３０の上面を覆うように配置されている。このファンユニット４０の長辺方向の長さは、熱交換器３０の長辺方向の長さと略一致して設けてもよい。ファンユニット４０の長辺方向の長さと熱交換器３０の長辺方向の長さとを略一致して設けることで、熱交換器３０の熱交換による冷気を効率よく循環させることができる。
【００２３】
ファンユニット４０およびファン４３は、熱交換器３０の熱交換による冷気が循環する冷気通路のうち、熱交換器３０よりも下流側に配置されている。本実施の形態では、熱交換器３０のすぐ下流側、すなわち熱交換器３０のすぐ上方に設けられる上方カバー１９Ａにファンユニット４０が取り付けられている。ファンユニット４０と熱交換器３０との距離が近いため、ファン４３により熱交換器３０の熱交換による冷気を効率よく循環させることができる。また、ファンユニット４０を上方カバー１９Ａに取り付けるため、上方カバー１９Ａとファンユニット４０との間に別部材を設ける必要がなく部品点数を削減できる。
【００２４】
ユニット本体４１は、上面視で略矩形に形成されている。
このユニット本体４１は、ファンユニット４０をショーケース１に取付けた状態で熱交換器３０の上面と対向する対向面４５と、対向面４５の長辺の一辺から上方に延出する上延出部４６と、対向面４５の長辺の他辺から下方に延出する下延出部４７とを備えている。
ユニット本体４１は、通気孔（不図示）を塞ぐように上方カバー１９Ａの上方に配置されている。上延出部４６は、断熱壁２にねじ止めにより固定されている。下延出部４７は、側方カバー１９Ｂにねじ止めにより固定されている。
【００２５】
対向面４５は、熱交換器３０の側から流れる冷却風を遮蔽する遮蔽部４９と、ファン４３が取り付けられるファン取付孔（取り付け部）４８と、を備えている。ファン取付孔４８の対角線上に位置する２つの隅部には、ねじ孔５５が設けられている。
ファン取付孔４８は、横一列に複数設けられている。本実施の形態では、ファン取付孔４８は、隣り合うファン取付孔４８と間隔を均等にしてユニット本体４１の長辺と平行の方向に７箇所設けられている。
【００２６】
ファン取付孔４８には、ファン４３がそれぞれ備えられる。ファン４３は、熱交換器３０の熱交換による冷気を、下部ダクト２２、背面ダクト２１、天井ダクト２０を経由して陳列室８の開口部９から冷気エアーカーテンを形成して下部ダクト２２に戻るよう循環させる。冷気は、背面ダクト２１内に設けられるこのファン４３のみにより、循環されている。
【００２７】
ファン４３は、平面視で略正方形に形成されたファンフレーム５１を備えている。ファン４３は、ねじ４４を用いてファンフレーム５１の対角線上に位置する２つの隅部をねじ孔５５に固定することでユニット本体４１に取り付けられている。ファン４３は、隣り合うファン４３と間隔を均等にしてユニット本体４１の長辺と平行の方向に７箇所設けられている。また、この７箇所のファン４３は、横一列に配置されている。
【００２８】
ファン４３は、本実施の形態では軸流ファンとして構成されている。このファン４３は、熱交換器３０の上面と略平行に配置されており、熱交換器３０の上面と垂直上方向に送風可能に配置されている。このファン４３は、軸流ファンに限らず、送風機としての機能を備えるものであればよい。
ファン４３の出力は、例えば、各々が０．５〜２Ｗの範囲内に設定することができる。この場合、ファンが大型化せずに、背面ダクト２１内部にファン４３を配置し易い。
なお、このファン４３を設ける数は、ショーケース１に備えられる熱交換器３０の熱交換による冷気を循環させるために必要な数に、適宜に変更が可能である。また、ファン４３を設ける数は、ファン４３の性能により適宜に変更が可能である。
【００２９】
このように、横一列に配置された複数のファン４３は、１つのファンユニット４０に搭載されている。ファンユニット４０の位置を決めることで、複数のファン４３すべての位置を同時に決めることができる。
なお、本実施の形態では、ファン４３がファンユニット４０に複数備えられているが、必ずしもファン４３がファンユニット４０に備えられている必要はなく、ファンのみを背面ダクト２１内であり、かつ、背面ダクト２１内に設けられる熱交換器３０の上方に配置してもよい。
【００３０】
次に、本実施の形態の作用を説明する。
冷凍サイクルを構成する熱交換器３０の熱交換による冷気は、ファン４３により背面ダクト２１の上方に送られる。そして、背面ダクト２１の上方に送られた冷気は、天井ダクト２０を経由して陳列室８の開口部９から冷気エアーカーテンを形成して下部ダクト２２に送られる。下部ダクト２２に送られた冷気は、背面ダクト２１に送られ、ショーケース１を循環する。
このとき、熱交換器３０に発生する結露水は、図２の矢印Ａに示すように、熱交換器３０の下方から背面下部ダクト１７および下部ダクト２２を通り、機械室６０へ流れる。
【００３１】
以上説明したように、本実施の形態におけるショーケース１は、本体ケース３と、本体ケース３内に設けられて前面が開口した商品の陳列室８と、陳列室８の背面側に設けられた背面ダクト２１と、陳列室８の上方側の天井内に設けられて背面ダクト２１と接続する天井ダクト２０と、陳列室８の下方側のデックパン２７内部に設けられて背面ダクト２１と接続する下部ダクト２２と、背面ダクト２１内に配置された熱交換器３０と、熱交換器３０の熱交換による冷気を、下部ダクト２２、背面ダクト２１、天井ダクト２０を経由して陳列室８の前面開口から冷気エアーカーテンを形成して下部ダクト２２に戻る冷気通路に循環案内するファン４３と、を備え、ファン４３は、背面ダクト２１内、かつ、熱交換器３０の上方に配置した。
この構成によれば、ファン４３を背面ダクト２１に設けられる熱交換器３０の上方に設けるため、下部ダクト２２内にファン４３を設ける必要がない。下部ダクト２２を小さく構成できるため、デックパン２７を低くすることができ、その分だけ陳列室８を大きく構成できる。
【００３２】
また、ファン４３を熱交換器の上方に設けるため、熱交換器３０に発生する結露水が熱交換器３０の下方に流れる場合にファン４３にあたりにくく、水きり音などの音を抑制できる。
また、例えばファン４３を下部ダクト２２に配置した場合と異なり、下部ダクト２２内の部品点数が少ないため、流水経路の清掃性を向上できる。
【００３３】
また、本実施の形態によれば、ファン４３は、軸流ファンとした。
高さ方向に長く、前後方向に短い背面ダクト２１内において、熱交換器３０の熱交換による冷気を軸流ファンの軸方向である高さ方向に送ることができるため、効率よく冷気を循環できる。また、ファンを小型化できる。
【００３４】
また、本実施の形態によれば、ファン４３は、複数で構成され、横一列に配置した。
ファン４３を横一列に複数配置したため、左右方向に長く、前後方向に短い背面ダクト２１内において、熱交換器３０のどの箇所の上方にもファン４３を設けることができ、効率よく冷気を循環できる。
【００３５】
また、本実施の形態によれば、ファン４３は、隣り合う他のファン４３との間隔を均等にして配置した。
この構成によれば、熱交換器３０の熱交換による冷気を均等に循環させることができる。開口部９に形成されるエアーカーテンを均等にでき、エアーカーテンの乱れを防ぐことができる。
【００３６】
また、本実施の形態によれば、横一列に配置された複数のファン４３は、１つのファンユニット４０に搭載した。
１つのファンユニット４０としたため、あらかじめ組み立てたファンユニット４０をショーケース１に配置することができ、組立性を向上できる。
複数のファン４３のうち、いくつかのファン４３のみ交換したい場合にも、容易に交換できる。
【００３７】
また、本実施の形態によれば、ファンユニット４０は、熱交換器３０の上面を覆うよう構成した。
この構成によれば、熱交換器３０の熱交換による冷気をファンユニット４０で覆うことができ、効率よく冷気を循環できる。
【００３８】
また、本実施の形態によれば、熱交換器３０の上面と対向するファンユニット４０の面である対向面４５は、熱交換器３０側から流れる風を遮蔽する遮蔽部４９と、ファン４３が取り付けられる取り付け部としてのファン取付孔４８とから構成した。
この構成によれば、ファン４３が取り付けられているファン取付孔４８以外は遮蔽部４９により遮蔽されているため、ファン取付孔４８に熱交換器３０の熱交換による冷気が集まり、ファン４３を通して冷気を循環させることができ、効率よく冷気を循環できる。
【００３９】
また、本実施の形態によれば、ファン４３は、各々の出力を０．５〜２Ｗの範囲内とできる。
そのため、小型化したファン４３を背面ダクト２１内に設けることができる。
【００４０】
また、本実施の形態によれば、ファン４３は、熱交換器３０よりも、冷気通路を循環する冷気の下流側に配置した。
この構成によれば、熱交換器３０で発生する結露水がファン４３にあたりにくい。
【００４１】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【符号の説明】
【００４２】
１  ショーケース
３  本体ケース
８  陳列室
１１  背板
１２  底板
１７  背面下部ダクト
１８  背面上部ダクト
１９  仕切カバー
１９Ａ  上方カバー
１９Ｂ  側方カバー
２０  天井ダクト
２１  背面ダクト
２２  下部ダクト
２７  デックパン
３０  熱交換器
４０  ファンユニット
４１  ユニット本体
４３  ファン
４４  ねじ
４５  対向面
４６  上延出部
４７  下延出部
４８  ファン取付孔（取り付け部）
４９  遮蔽部
５１  ファンフレーム
５５  ねじ孔
【図１】
0006620546.tif 000002
【図２】
0006620546.tif 000003
【図３】
0006620546.tif 000004
【図４】
0006620546.tif 000005
【図５】
0006620546.tif 000006
【図６】
0006620546.tif 000007
【図７】
0006620546.tif 000008
【図８】
0006620546.tif 000009